(57)【要約】【課題】１つの画像を複数の出力形態で出力したい場合、その数だけ出力条件の入力作業を繰り返す必要があった。【解決手段】モニタ画面上に、画像データの供給源を特定する画面を表示させる第１の処理と、複数種類の出力形態と個々の出力回数とを固定的に組み合わせたパッケージ出力を、選択対象の１つに含む出力条件を特定する画面を表示させる第２の処理と、出力対象とする画像データを特定する画面を表示させる第３の処理とを実行する。ユーザーは、出力条件としてパッケージ出力を選択するだけで、複数種類の出力形態と個々の出力回数による出力を設定できる。【選択図】図７
2005322053.tif 000002
【特許請求の範囲】
【請求項１】
モニタ画面上に、
画像データの供給源を特定する画面を表示させる第１の処理と、
複数種類の出力形態と個々の出力回数とを固定的に組み合わせたパッケージ出力を、選択対象の１つに含む出力条件を特定する画面を表示させる第２の処理と、
出力対象とする画像データを特定する画面を表示させる第３の処理と
を有することを特徴とする出力受付画面の表示制御方法。
【請求項２】
請求項１に記載の表示制御方法であって、
パッケージ出力の選択が複数可能な場合、パッケージ出力の種類を特定する画面を表示させる第４の処理
を更に有することを特徴とする出力受付画面の表示制御方法。
【請求項３】
請求項１に記載の表示制御方法であって、
前記出力受付画面は、画像データの印刷受付画面である
ことを特徴とする出力受付画面の表示制御方法。
【請求項４】
請求項１に記載の表示制御方法であって、
上記パッケージ出力には、複数種類の出力形態と個々の出力回数との固定的な組み合わせに対応した価格が含まれる
ことを特徴とする出力受付画面の表示制御方法。
【請求項５】
モニタ画面上に、
画像データの供給源を特定する画面を表示させる第１の表示制御部と、
複数種類の出力形態と個々の出力回数とを固定的に組み合わせたパッケージ出力を、選択対象の１つに含む出力条件を特定する画面を表示させる第２の表示制御部と、
出力対象とする画像データを特定する画面を表示させる第３の表示制御部と
を有することを特徴とする出力受付画面の表示制御装置。
【請求項６】
モニタ画面上に、
画像データの供給源を特定する画面を表示させる第１の処理と、
複数種類の出力形態と個々の出力回数とを固定的に組み合わせたパッケージ出力を、選択対象の１つに含む出力条件を特定する画面を表示させる第２の処理と、
出力対象とする画像データを特定する画面を表示させる第３の処理と
をコンピュータに実行させることを特徴とする印刷受付画面の表示プログラム
【請求項７】
モニタ画面上に、
画像データの供給源を特定する画面を表示させる第１の処理と、
複数種類の出力形態と個々の出力回数とを固定的に組み合わせたパッケージ出力を、選択対象の１つに含む出力条件を特定する画面を表示させる第２の処理と、
出力対象とする画像データを特定する画面を表示させる第３の処理と
をコンピュータに実行させる表示プログラムを記録した
ことを特徴とするコンピュータ読み取り可能な記録媒体。
【請求項８】
登録画面上に、
パッケージ出力用の登録画面であることを示す表題を表示する第１の領域と、
パッケージ出力に割当可能な複数種類の出力形態を一覧的に表示する第２の領域と、
個々の出力形態に対応付ける出力回数の入力欄を、個々の出力形態に対応付けて表示する第３の領域と
を表示させることを特徴とする出力条件登録画面の表示制御方法。
【請求項９】
請求項８に記載の表示制御方法であって、
１つの画面上で、複数のパッケージ出力を登録できる場合、前記第１〜第３の領域を各パッケージ出力に対応付けて表示する
ことを特徴とする出力条件登録画面の表示制御方法。
【請求項１０】
請求項８に記載の表示制御方法であって、
前記出力条件登録画面は、画像データの印刷条件登録画面である
ことを特徴とする出力条件登録画面の表示制御方法。
【請求項１１】
モニタ画面上に、
パッケージ出力用の登録画面であることを示す表題を表示させる第１の表示制御部と、
パッケージ出力に割当可能な複数種類の出力形態を一覧的に表示させる第２の表示制御部と、
個々の出力形態に対応付ける出力回数の入力欄を、個々の出力形態に対応付けて表示させる第３の表示制御部と
を有することを特徴とする出力条件登録画面の表示制御装置。
【請求項１２】
請求項１１に記載の表示制御装置は、
前記入力欄に入力された出力回数の確定時、複数種類の出力形態と確定された出力回数との組み合わせを、対応するパッケージ出力に関連付けて登録する出力条件登録部
を更に有することを特徴とする出力条件登録画面の表示制御装置。
【請求項１３】
モニタ画面上に、
パッケージ出力用の登録画面であることを示す表題を表示させる第１の処理と、
パッケージ出力に割当可能な複数種類の出力形態を一覧的に表示させる第２の処理と、
個々の出力形態に対応付ける出力回数の入力欄を、個々の出力形態に対応付けて表示させる第３の処理と
をコンピュータに実行させることを特徴とする出力条件登録画面の表示プログラム
【請求項１４】
モニタ画面上に、
パッケージ出力用の登録画面であることを示す表題を表示させる第１の処理と、
パッケージ出力に割当可能な複数種類の出力形態を一覧的に表示させる第２の処理と、
個々の出力形態に対応付ける出力回数の入力欄を、個々の出力形態に対応付けて表示させる第３の処理と
をコンピュータに実行させる表示プログラムを記録した
ことを特徴とするコンピュータ読み取り可能な記録媒体。
【発明の詳細な説明】
【技術分野】
【０００１】
１つの発明は、画像データの出力を受け付ける画面の表示制御方法に関する。また１つの発明は、出力受付画面の表示を制御する装置に関する。また１つの発明は、出力受付画面の表示プログラムに関する。また１つの発明は、出力受付画面の表示プログラムを記録した記録媒体に関する。
また１つの発明は、画像データの出力条件を登録する画面の表示制御方法に関する。また１つの発明は、出力条件登録画面の表示を制御する装置に関する。また１つの発明は、出力条件登録画面の表示プログラムに関する。また１つの発明は、出力条件登録画面の表示プログラムを記録した記録媒体に関する。
【背景技術】
【０００２】
画像出力装置には、例えば印刷装置、モニタ、ネットワーク装置その他がある。ネットワーク装置とは、ネットワーク又はインターネット経由で画像データを送信できる機能を搭載する装置をいう。
以下、印刷装置を例に従来技術を説明する。印刷装置には、複数の印刷サイズで写真を印刷できるものがある。
すなわち、ユーザーの指定に応じ、複数種類の印刷サイズで印刷できるものがある。例えば、Ｌ版（４inch×５inch）、ポストカードサイズ（４inch×６inch）と６つ切りサイズ（８inch×１０inch）で印刷できるものがある。
【０００３】
図１に、従来機に採用されるユーザーインターフェースの画面例を示す。このユーザーインターフェースは、印刷受付画面に、画像表示領域１、印刷サイズ指定欄２、印刷枚数指定欄３を有する。
画像表示領域１は、印刷対象に選択された画像を表示する領域である。印刷サイズ指定欄２は、印刷サイズを指定するための領域である。また、印刷枚数指定欄３は、印刷枚数を指定するための領域である。
この例の場合、各指定欄の両端位置には、印刷条件を変更するためのボタン２Ａ、３Ａが配置されている。これらボタン２Ａ、３Ａの操作を通じ、ユーザーは印刷条件を変更することができる。因みにユーザーは、現在の指定内容を、各指定欄の中央位置２Ｂ、３Ｂの表示を通じて認識することができる。
なお図１は、印刷サイズが「ポストカードサイズ」に選択され、印刷枚数が「１枚」に選択されている。
【特許文献１】特開２００３−１１８２１０号公報
【特許文献１】特開２００３−１２１９４６号公報
【発明の開示】
【発明が解決しようとする課題】
【０００４】
ところで、１つの写真画像を複数種類の印刷サイズで印刷したい場合がある。この場合、ユーザーは、１つ目の印刷サイズと印刷枚数を決定して印刷を行った後、改めて２つ目の印刷サイズと印刷枚数を決定して印刷を行う必要がある。
勿論、３種類以上の印刷サイズで印刷したい場合には、これらの動作を更に繰り返す必要がある。すなわち、印刷したい印刷サイズの数だけ、印刷サイズの決定と印刷枚数の決定を伴う印刷操作を繰り返す必要がある。
【課題を解決するための手段】
【０００５】
本発明者は、以上の操作性に着目し、以下の手法を提案する。すなわち、予め複数種類の出力形態と個々の出力回数とを固定的に組み合わせたパッケージ出力を、出力条件の１つとして登録しておく手法を提案する。
この場合、ユーザーによる出力条件の選択操作は１回で済む。すなわち、ユーザーは、出力条件として、パッケージ出力を選択すれば良い。
このとき、画像出力装置は、パッケージ出力に対応付けられている複数種類の出力形態と個々の出力回数に従って、画像データの出力動作を実行する。
ここで、出力形態の種類には、出力サイズの種類、単独出力や集合出力といった出力方式の種類が含まれる。
【発明の効果】
【０００６】
発明に係る手法の採用により、１回の操作で、１つの画像データを、複数種類の出力形態で、それぞれ個別の出力回数で出力できる。
このため、出力操作に不慣れなユーザーだけでなく、出力操作に慣れたユーザーに至るまで、出力操作に係る操作量を大幅に削減できる。
【発明を実施するための最良の形態】
【０００７】
以下、発明に係る手法を採用する画像処理装置の実施形態例を説明する。以下では、画像出力システムの一例として、写真画像を印刷媒体上に印画又は現像するのに使用される写真印刷システムについて説明する。
なお、本明細書で特に図示又は記載されない部分には、当該技術分野の周知又は公知技術を適用する。
また、以下に説明する実施形態は、発明の一つの実施形態であって、これらに限定されるものではない。
【０００８】
（１）写真印刷システム
図２に、写真印刷システム１１の一例を示す。写真印刷システム１１は、ユーザーによる画像データの印刷要求を受け付ける画像処理装置１３、画像データ取込装置１５、指示入力装置１７、モニタ１９、印刷装置２１（２１Ａ〜２１Ｃ）を主要な構成とする。
画像処理装置１３は、コンピュータを基本構成とする。すなわち、ＣＰＵ（central processing unit） 、ＲＯＭ（read only memory）、ＲＡＭ（random access
memory）、ハードディスク装置その他の周辺装置で構成される。もっとも、専用装置、処理ボード又は制御ボードとして実現することもできる。
画像処理装置１３の機能は、ファームウェア又はソフトウェアとして実現される。これらのプログラムは、ＲＯＭやハードディスク装置から読み出されて実行される。プログラムの実行は、ユーザーの起動指示に応じて実行される他、コンピュータの起動と同時に自動的に実行される。
【０００９】
画像処理装置１３は、写真印刷システムを制御する制御部１３Ａと、印刷条件記憶部１３Ｂと、外部インターフェース１３Ｃとで構成される。
制御部１３Ａは、グラフィカル・ユーザー・インターフェース画面（以下、「ＧＵＩ画面」という。）の表示を制御するＧＵＩ表示制御部１３Ａ１と、入出力制御部１３Ａ２を有する。
この実施例の場合、ＧＵＩ表示制御部１３Ａ１は、画像データの印刷に関連するＧＵＩ画面の表示機能を提供する。例えば、パッケージ印刷の登録に使用するＧＵＩ画面の表示機能を提供する。また例えば、パッケージ印刷を含む印刷指示に使用するＧＵＩ画面の表示機能を提供する。
入出力制御部１３Ａ２は、画像処理装置１３とその周辺装置１５〜２１の間で行われるデータの送受を制御する機能を提供する。なお、データの送受は、外部インターフェース１３Ｃを通じて実現される。
【００１０】
印刷条件記憶部１３Ｂは、ＧＵＩ表示制御部１３Ａ１を通じて入力又は登録された印刷条件を記憶する記憶デバイスでなる。記憶デバイスには、不揮発性メモリを使用する。例えば、ハードディスク装置その他の磁気記憶装置、半導体メモリの駆動装置、光記憶媒体の駆動装置その他が使用される。
なお、記憶媒体は、画像処理装置１３の筐体に対して着脱できるものでも、固定されているものでも良い。また、印刷条件記憶部１３Ｂは、画像処理装置１３の筐体内に設置されているものでも、外付けされるものでも良い。
【００１１】
外部インターフェース１３Ｃは、各周辺装置との通信に応じたものが採用される。
なお、周辺装置が有線路で接続されている場合、外部インターフェース１３Ｃには、例えばＵＳＢ（universal serial bus）インターフェース、ＩＥＥＥ１３９４インターフェース、ＳＣＳＩ（Small Computer System Interface ）、ＡＴＡＰＩ（ATA
Pachet Interface）が使用される。また例えば、ＬＡＮ（local area network）インターフェースが使用される。
また、周辺装置が無線路で接続されている場合、外部インターフェース１３Ｃには、無線ＬＡＮインターフェースが使用される。
【００１２】
ここで、画像処理装置１３の商品形態は問わない。例えば写真現像システム用のシステム管理装置、ビデオカメラ、デジタルカメラ、ヘッドマウントディスプレイ、ナビゲーションシステム、デスクトップ型又はノート型のコンピュータ、ゲーム機器、携帯情報端末（いわゆる携帯型のコンピュータ、携帯電話機、携帯型ゲーム機）、画像再生装置（例えば、光ディスク装置、ホームサーバー）、モニタ装置、テレビジョン受像器が考えられる。
いずれの商品形態の場合も、筐体と、制御部１３Ａ及び外部インターフェース１３Ｃを共通構成とし、商品形態に応じた周辺装置が組み合わされて構成される。
【００１３】
画像データ取込装置１５は、印刷対象とする画像データを外部から取り込む場合に使用される。
例えば、外部メモリから画像データを取り込む場合に使用される。外部メモリには、例えば半導体メモリ、磁気記録媒体、光記録媒体がある。画像データ取込装置１５には、記憶媒体に応じたドライブ装置が使用される。
また例えば、画像データを光学的に取り込む場合に使用される。光学的な取込装置として、例えば、スキャナ、撮像装置を使用する。
また例えば、通信路を通じて画像データを取り込む場合に使用される。通信路には、前述した有線路や無線路を使用する。
いずれの場合にも、画像データ取込装置１５には、取込手法に応じたものを使用する。この実施例では、外部メモリから取り込むものとする。
なお、画像データ取込装置１５は、適用する商品形態に応じ、画像処理装置１３と一体に構成される。
【００１４】
指示入力装置１７は、画像処理装置１３に対する指示をユーザーが入力するのに使用する装置である。例えば、ライトペン、トラックボール、ジョイスティック、タッチ式パネルその他のポインティングデバイス、キーボード、十字キー、ボタンその他を使用する。
指示入力装置１７を通じて、例えば画像の選択、画像データの供給源の選択、印刷条件の選択その他に対する指示が入力される。
なお、指示入力装置１７も、適用する商品形態に応じ、画像処理装置１３と一体に構成される。
【００１５】
モニタ１９は、印刷に関連する情報の表示に使用される。モニタ１９には、画像印刷システム１１の商品形態に応じた表示デバイスを使用する。
例えば、ＣＲＴ（cathode lay tube）ディスプレイ装置、フラット・ディスプレイ装置を使用する。なお、フラット・ディスプレイ装置には、例えば、液晶ディスプレイ装置、有機ＥＬディスプレイ装置、プラズマ・ディスプレイ装置、ＦＥＤ（Field
Emission Display）装置を使用する。
なお、指示入力装置１７は、適用する商品形態に応じ、画像処理装置１３と一体に構成される。
【００１６】
印刷装置２１（２１Ａ〜２１Ｃ）は、印刷媒体上に画像を印刷する装置である。印刷装置２１には、例えば昇華方式の印刷装置、インクジェット方式の印刷方式を使用する。もっとも、銀塩写真用の現像装置を使用することもできる。
印刷装置２１は、画像処理装置１３の出力ポートと一対一に接続されていても良いし、ＬＡＮ経由で接続されていても良い。
この実施例の場合、印刷装置２１は、印刷サイズ別に用意する。
【００１７】
ここで、印刷装置２１Ａは、４inch×６inch系の印刷用である。この印刷サイズは、ポストカードサイズと呼ばれる。図３（Ａ）に印刷サイズ例を示す。
また、印刷装置２１Ｂは、５inch×７inch系の印刷用である。この印刷装置２１Ｂは、３種類の印刷形態で使用される。
印刷形態の１つは、５inch×７inchの印刷サイズに画像を１つだけ印刷する印刷形式に対応する。図３（Ｂ）に印刷サイズ例を示す。
印刷形態の他の１つは、５inch×３．５inchである。この印刷サイズは、５inch×７inchを上下２つにカットしたものに対応する。この印刷サイズは、スナップショットと呼ばれる。サイズ例を図３（Ｃ）に示す。
【００１８】
印刷形態の他の１つは、５inch×７inchの印刷サイズに同一サイズの画像を集合印刷する形態である。図３（Ｄ）に印刷サイズ例を示す。図３（Ｄ）は、同一サイズの画像を４つ集合印刷する印刷形式について表している。この印刷形態は、ワレット印刷と呼ばれる。
また、印刷装置２１Ｃは、８inch×１０inch系の印刷用である。図３（Ｅ）に印刷サイズ例を示す。
なお、必要に応じて、証明写真用の印刷装置やインデックス印刷用の印刷装置も接続する。
また、画像データを記録媒体に書き込む場合には、記録媒体に応じたドライブ装置（画像記録装置）を、画像処理装置１３に対する出力装置の１つとして接続する。
【００１９】
（２）登録時の動作
続いて、写真印刷システム１１を用いたパッケージ印刷条件の登録動作を説明する。
図４に、ＧＵＩ表示制御部１３Ａ１で実行される処理動作例を示す。この処理動作は、例えば初期画面において、パッケージ印刷の登録動作が選択された場合に実行される。
パッケージ印刷は、予め登録した固定の印刷条件で画像データを印刷するための印刷モードの１つである。
このパッケージ印刷には、複数種類の印刷形態（印刷サイズ、印刷方式）と個々の出力回数との組み合わせが対応付けられる。
【００２０】
この実施例の場合、パッケージ印刷条件の登録用ＧＵＩ画面がモニタ１９に表示される（プロセスＰ１）。
例えば、パッケージ印刷条件を個別に登録する場合のＧＵＩ画面（図５）か、パッケージ印刷条件を複数同時に登録する場合のＧＵＩ画面（図６）が表示される。なお図６は、２つのパッケージ印刷条件を同時に登録する場合についての表示例である。
いずれのＧＵＩ画面が表示されるかは、ＧＵＩ表示制御部１３Ａ１にいずれのＧＵＩ画面が搭載されているか、又は採用されているかによる。ここでは、図５に示すＧＵＩ画面が予め搭載されている、又は採用されているものとする。
因みに、複数種類の登録用ＧＵＩ画面が用意されている場合、そのいずれか１つをユーザーが選択できるようにしても良い。その場合は、初期画面として登録用ＧＵＩ画面の選択画面を表示することが望ましい。
ここでのユーザーは、エンドユーザーだけでなく、写真印刷システム１１をエンドユーザーに提供する事業者又は企業体を含む。
【００２１】
図５に示すＧＵＩ画面３１は、表題部３１Ａ、登録名３１Ｂ、印刷サイズ表示欄３１Ｃ、印刷枚数入力欄３１Ｄ、テンキー３１Ｅ、登録ボタン３１Ｆを構成要素に有する。
なお、図５は、ＧＵＩ画面の一例であり、表示レイアウトや構成要素の組み合わせは様々である。
例えば、パッケージ印刷をエンドユーザーに有料で提供する場合には、パッケージ印刷の対価としての料金の登録欄を表示することが望ましい（例えば、図５の登録欄３１Ｇ）。
この場合、料金の登録欄３１Ｇには、例えば印刷サイズ及び枚数から自動的に計算される印刷対価を、パッケージ料金として表示する。また、登録欄３１Ｇには、例えばテンキー３１Ｅを通じて任意に入力のあった印刷対価を、パッケージ料金として表示する。
登録欄３１Ｇの表示により、エンドユーザーは、パッケージ印刷の料金を正確に知ることができる。
また、事業者等にあっては、エンドユーザーに提示する価格設定を意識して、パッケージ印刷条件を設定するのに登録欄３１Ｇを使用できる。例えば、パッケージ印刷の対価を価格競争力のある対価に設定すれば、エンドユーザーによるパッケージ印刷の選択（購買）を促進することができる。
【００２２】
表題部３１Ａは、パッケージ印刷用の登録画面であることをユーザーに示す部分である。この例の場合、「パッケージ印刷条件登録画面」と表示される。
登録名３１Ｂは、パッケージ印刷の登録が複数可能な場合に、印刷条件の識別を可能とするために表示される。
この例の登録名は“パッケージＡ”である。なお、“パッケージＡ”に対応付けられた印刷条件は、“パッケージＡ”に関連付けられたファイルとして印刷条件記憶部１３Ｂに記憶される。
印刷サイズ表示欄３１Ｃは、パッケージ印刷に使用可能な全ての印刷形態（印刷サイズ、印刷形式）を一覧表示する部分である。
この実施例の場合、スナップショット、４inch×６inch、５inch×７inch、８inch×１０inch、ワレット印刷の５種類が表示される。
印刷枚数入力欄３１Ｄは、５種類の印刷形態に対応する印刷回数の入力欄を一覧表示する部分である。各入力欄は、対応する印刷形態に対応付けられている。
テンキー３１Ｅは、カーソルその他のポインタによって指定された入力欄に数値を入力するのに用いられる。テンキー３１Ｅには、０〜９までの１０個の数値と、クリアボタンが表示される。なお、数値の入力欄の特定にはポインタを使用する。
この例の場合、スナップショットの印刷枚数として“４”が、５inch×７inchの印刷枚数として“２”が、８inch×１０inchの印刷枚数として“１”が、ワレット印刷の印刷枚数として“２”が入力されている。
【００２３】
登録ボタン３１Ｆは、印刷条件の入力を確定して登録するボタンである。このボタンをＧＵＩ画面上でクリックすると、その時点で入力されている印刷形態と印刷枚数の組み合わせが確定する。
例えば、印刷枚数の入力欄が“０”又は数値が入力されていない印刷形態は印刷条件の登録情報から除外する。
また例えば、印刷枚数の入力欄に数値が入力されていない印刷形態には、“０”を自動的に入力した状態を登録情報とする。
【００２４】
登録用ＧＵＩ画面３１が表示されると、制御部１３Ａは、印刷サイズ表示欄３１Ｃに固定的に表示した５種類の印刷形態に対する印刷枚数の個別入力を受け付ける状態になる（プロセスＰ２）。
印刷枚数を与える数値の入力は、前述のようにテンキー３１Ｅや指示入力装置１７を通じて実現される。
その後、登録ボタン３１Ｆのクリック動作を検出すると、制御部１３Ａは、印刷枚数の入力されている印刷形態の組み合わせと、対応する印刷枚数の入力を確定する（プロセスＰ３）。すなわち、登録情報記憶部１３Ｂに登録する。
【００２５】
（３）印刷実行時の動作
次に、写真印刷システム１１を用いたパッケージ印刷の実行動作を説明する。図７に、ＧＵＩ表示制御部１３Ａ１で実行される処理動作例を示す。
この処理動作は、例えば初期画面において、印刷処理が選択された場合にその処理機能の一部として実行される。
印刷処理の選択時、まず画像データの供給源を選択するＧＵＩ画面がモニタ１９に表示される（プロセスＰ１１）。
【００２６】
図８に、画像データの供給源の特定を受け付けるＧＵＩ画面４１の表示例を示す。このＧＵＩ画面４１も、ＧＵＩ表示制御部１３Ａ１が表示する。
図８に示すＧＵＩ画面４１は、表題部４１Ａ、選択ボタン表示欄４１Ｂを構成要素に有する。
この実施例の場合、選択ボタン表示欄４１Ｂに１２種類の画像データの供給源をボタン形式で示す。各ボタンには、文字情報、絵文字、画像又はそれらの組み合わせが表示される。ここでは、文字情報が付されているものとする。
例えば、「半導体メモリ  タイプＡ」、「半導体メモリ  タイプＢ」、「半導体メモリ  タイプＣ」、「光ディスク  タイプＡ」、「光ディスク  タイプＢ」、「磁気ディスク」、「フラットスキャナ」、「フィルムスキャナ」、「内部記憶装置」、「ネットワーク記憶装置」、「他の記憶媒体」、「携帯電話機」が付されているものとする。
ここで、タイプＡ、Ｂ、Ｃには具体的な商品名、通称名その他ユーザーによる区別可能な名称が記載される。
【００２７】
なお、「内部記憶装置」のボタンは、画像処理装置１３の内部に格納されている画像データを印刷対象として利用したい場合に備えて用意されている。
また、「ネットワーク記憶装置」は、ネットワーク経由で接続された画像処理装置から画像データを取り込む場合に備えて用意されている。すなわち、ネットワーク上の画像処理装置から画像データをダウンロードする場合に備えて用意されている。
この他、「他の記憶媒体」は、用意した記憶媒体以外の記憶媒体から画像データを取り込む場合に備えて用意されている。
このボタンが選択された場合、下位階層のＧＵＩ画面が開き、ユーザーの用意した記憶媒体の選択が可能になる。
この例では、「携帯電話機」のボタンを用意したが、デジタルカメラや携帯情報端末といった携帯型の電子機器のボタンを用意することもできる。
【００２８】
この実施例の場合、ボタンのクリック又はタッチ操作によって選択が確定し、印刷方法を選択するＧＵＩ画面がモニタ１９に表示される（プロセスＰ１２）。もっとも、選択確定用のボタンを別に表示させることもできる。
なお、画像データの供給源が確定すると、来るべき画像の選択に備えて画像データの読み取り処理がバックグラウンドで開始される。この制御は、制御部１３Ａが自動的に実行する。
図９に、画像データの印刷方法の特定を受け付けるＧＵＩ画面５１の表示例を示す。このＧＵＩ画面５１も、表題部５１Ａ、選択ボタン表示欄５１Ｂを構成要素に有する。
この実施例の場合、選択ボタン表示欄５１Ｂに１２種類の印刷方法をボタン形式で示す。やはり、各ボタンには、文字情報、絵文字、画像又はそれらの組み合わせが表示される。ここでは、文字情報が付されているものとする。
例えば、「スナップショットサイズ」、「４inch×６inchサイズ」、「５inch×７inchサイズ」、「８inch×１０inchサイズ」、「加工印刷」、「ワレット印刷」、「証明書用印刷」、「インデックス印刷」、「パッケージ印刷」、「バリューパック印刷」、「記録媒体への書き出し」、「全印刷」が付されているものとする。
なお、印刷サイズの付されたボタンは、指定されたサイズの全体に画像を１つ印刷する場合に選択される。
【００２９】
また、「加工印刷」の付されたボタンは、枠付き印刷、台紙付き印刷、製本その他の加工を施した印刷を実行する場合に選択される。
また、「ワレット印刷」の付されたボタンは、特定の印刷サイズ上に同一サイズの画像を複数印刷する場合（カットはしない）に選択される。
また、「証明書用印刷」の付されたボタンは、画像が証明書に貼り付けるのに適したサイズで印刷したい場合に選択される。
また、「インデックス印刷」の付されたボタンは、供給源として特定された記録媒体の選択範囲（例えばフォルダ）内の全画像をサムネイル形式で一覧表として印刷する場合に選択される。
また、「パッケージ印刷」の付されたボタンは、予め登録された複数種類の印刷サイズと印刷枚数のセットで印刷する場合に選択される。
また、「バリューパック印刷」の付されたボタンは、用紙の無駄が少なくなる印刷サイズや印刷枚数の組み合わせで印刷する場合に選択される。
例えば、5inch×7inchサイズ１枚に対し、5inch×3.5inchサイズ２枚の割合でセットしておけば、用紙サイズは、5inch×7inchサイズ系の用紙１種類で済み、用紙の無駄も少なくなる。
このような「バリューパック印刷」の場合は、上記した「料金の登録欄」に格安な価格を登録することで、エンドユーザーに格安感を与えることができる。
また、「記録媒体への書き出し」の付されたボタンは、保存用に画像データを記録媒体に書き込む場合に選択される。
また、「全印刷」の付されたボタンは、供給源として特定された記録媒体の選択範囲（例えばフォルダ）内の全画像を印刷する場合に選択される。
【００３０】
なお、「パッケージ印刷」と「バリューパック印刷」以外のボタンが選択された場合には、印刷回数を指定するＧＵＩ画面が更に表示される。従って、ユーザーは、画面上に表示された操作子や指示入力装置１７を通じ、必要な印刷回数を入力することになる。
また、「パッケージ印刷」と「バリューパック印刷」以外のボタンが選択された場合には、１種類の印刷サイズでの印刷となる。
従って、複数種類の印刷サイズで印刷された画像が必要な場合には、この印刷サイズの指定を複数回繰り返す必要がある。
【００３１】
この実施例の場合、ボタンのクリック又はタッチ操作によって選択が確定し、印刷対象とする画像を選択するＧＵＩ画面がモニタ１９に表示される（プロセスＰ１３）。この場合も、選択確定用のボタンを別に表示させることもできる。
図１０に、印刷対象とする画像の特定を受け付けるＧＵＩ画面６１の表示例を示す。このＧＵＩ画面６１も、表題部６１Ａ、画面選択欄６１Ｂを構成要素に有する。
ここで、画面選択欄６１Ｂには、供給源から読み出された実画像が縮小形式で一覧表示される。ここでは、１画面上に６個の画面が表示されている。勿論、表示される画像の個数は任意である。
この実施例の場合、ボタンのクリック又はタッチ操作によって選択が確定し、印刷内容を確認するＧＵＩ画面がモニタ１９に表示される（プロセスＰ１４）。この場合も、選択確定用のボタンを別に表示させることもできる。
【００３２】
そして、印刷内容に間違いがないことが確定すると、印刷処理が実行される。
図１１に、パッケージ印刷が選択された場合の処理例を示す。ここでのパッケージ印刷には、図５で登録した印刷条件が登録されているものとする。
まず、パッケージ印刷に登録されている印刷条件（スナップショットサイズを４枚、５inch×７inchサイズを２枚、８inch×１０inchサイズを１枚、ワレット印刷を２枚）が登録情報記憶部１３Ｂから読み出される（プロセスＰ２１）。
また、内蔵記憶装置に取り込まれた画像データのうち、ユーザーにより印刷対象に選択された画像データが読み出される（プロセスＰ２２）。
【００３３】
制御部１３Ａは、読み出された画像データと印刷条件を組み合わせ、印刷データを生成する（プロセスＰ２３）。
ここで、印刷データは、画像データ、印刷形態、印刷枚数の組み合わせで構成される。この印刷データが出力先別に対応する印刷装置２１に出力される。
例えば、印刷装置２１Ｃには、画像データと、その印刷条件（８inch×１０inchサイズを１枚）とが印刷データとして出力される。
また例えば、印刷装置２１Ｂには、画像データと、その３種類の印刷条件（スナップショットサイズを４枚、５inch×７inchサイズを２枚、ワレット印刷を２枚）とが印刷データとして出力される。
【００３４】
（４）実施例の効果
以上のように、印刷条件の１つとしてパッケージ印刷を提案することで、ユーザーは従来強いられていた煩雑な作業から解放される。すなわち、１つの画像データを複数種類の印刷条件で印刷したい場合、ユーザーは、印刷条件毎に一連の操作を繰り返す必要があった。
例えば、本例のように４種類の印刷条件で印刷したい場合、ユーザーは、画像データの選択、印刷形態の選択、印刷枚数の選択操作を４回繰り返す必要があった。
しかし、本実施例の場合には、ユーザーは、画像データの選択、印刷形態の選択、印刷枚数の選択操作を各１回実行するだけで良い。
【００３５】
この操作回数の低減は、複数種類の印刷条件による印刷に不慣れなユーザーにとって、操作ミスの低減や心理的な抵抗感の低減をもたらす効果がある。すなわち、使い勝手の向上を実現できる。
また、複数種類の印刷条件による印刷を大量に処理する事業者や大規模ユーザーにとっても、印刷処理の受付の度に、印刷形態と印刷枚数を繰り返し入力する作業が無くなるため、作業効率の向上、ミスの低減などを実現できる。
勿論、エンドユーザーにおいても、使用頻度の高い印刷条件を登録できれば、印刷実行時の煩雑感を無くすことができる。
尚、店頭などに設置されるプリントキオスク等に、前述した写真印刷システムを適用することで、店舗側（サービス提供側）は、出力サイズとセット価格を自由に設定でき、客（ユーザー）に付加価値の高い写真サービスを提供できる。
【００３６】
（５）他の形態例
（ａ）前述の実施例においては、図５及び図６に示すように、パッケージ印刷に割当可能な印刷形態を印刷サイズ表示欄３１Ｃに固定的に表示する場合について説明した。しかし、割当可能な全ての印刷形態の中から選択的に１つ又は複数の印刷形態を個別に入力又は指定できる表示形態とすることもできる。例えば、登録順序で印刷順序が連動している場合には、印刷順序を考慮した登録を実現できる。
【００３７】
（ｂ）前述の実施例においては、図７に示す処理順序で印刷動作が進行する場合について説明した。しかし、他の処理順序で処理する場合にも適用できる。例えば、図１２や図１３に示す処理順序で印刷動作が進行させることもできる。
図１２は、印刷対象とする画像の選択処理と印刷方法の選択処理の順番を、図７の場合と入れ替えた場合について表している。なお、個々の処理内容は図７と同じである。従って、図１２の各処理には、図７と対応する部分に同一符号を付して示している。
図１３は、印刷条件の異なるパッケージ印刷が複数登録されている場合の表示例である。図１３の場合も、図７の処理内容と対応する部分には同一符号を付して示している。
【００３８】
図７との違いは、プロセスＰ１２においてパッケージ印刷を選択しても印刷条件が確定しない点と、プロセスＰ１３とプロセスＰ１４の間に、パッケージ印刷の具体的な印刷条件を選択するプロセスＰ１５が配置される点である。
すなわち、図１３の場合、印刷対象とする画像の選択後、パッケージ印刷用に登録されている印刷条件のいずれを適用するかを選択する受付画面が表示される点に特徴がある。
なお、このプロセスＰ１５の処理は、プロセスＰ１２とプロセスＰ１３の間に実行しても良い。
また、プロセスＰ１２のＧＵＩ画面５１上で、複数のパッケージ印刷に対応するボタンが表示されており、この画面上での印刷条件の選択が可能な場合には、パッケージ印刷用の印刷条件が複数登録されているときも、前述の実施例と同じ処理手順を採用できる。
【００３９】
（ｃ）前述の実施例は、画像出力装置が印刷装置である場合について説明した。しかし、用途はこれに限らない。例えば、画像出力装置がモニタやネットワーク装置でも良い。
例えば、モニタ画面上に１つの画像データを複数種類の出力サイズで表示する場合にも適用できる。
また例えば、１つの画像データを複数種類の出力サイズでネットワーク装置に送信するサーバー装置にも適用できる。例えば、ネットワーク装置に割り当てられた通信帯域や処理能力に応じて出力サイズや解像度を異にする画像データを同時に発生して配信する場合にも適用できる。
（ｄ）発明の趣旨の範囲内で様々な変形例が考えられる。また、本明細書の記載に基づいて創作される各種の変形例及び応用例も考えられる。
【図面の簡単な説明】
【００４０】
【図１】従来装置で採用されている印刷条件入力用のＧＵＩ画面を示す図である。
【図２】画像出力システムの一実施例を示すブロック図である。
【図３】印刷形態と印刷サイズとの関係を示す図である。
【図４】パッケージ印刷条件の登録手順の一例を示す図である。
【図５】パッケージ印刷条件の登録用ＧＵＩ画面の一例を示す図である。
【図６】パッケージ印刷条件の登録用ＧＵＩ画面の一例を示す図である。
【図７】印刷実行時の処理手順の一例を示す図である。
【図８】画像データの供給源の選択用ＧＵＩ画面の一例を示す図である。
【図９】画像データの印刷方法の選択用ＧＵＩ画面の一例を示す図である。
【図１０】画像の選択用ＧＵＩ画面の一例を示す図である。
【図１１】印刷実行時における内部処理手順の一例を示す図である。
【図１２】印刷実行時の処理手順の一例を示す図である。
【図１３】印刷実行時の処理手順の一例を示す図である。
【符号の説明】
【００４１】
１          画像表示領域
２          印刷サイズ指定欄
３          印刷枚数指定欄
１１        写真印刷システム
１３        画像処理装置
１３Ａ      制御部
１３Ａ１    ＧＵＩ表示制御部
１３Ａ２    入出力制御部
１３Ｂ      印刷条件記憶部
１３Ｃ      外部インターフェース
１５        データ取込装置
１７        指示入力装置
１９        モニタ２
２１        印刷装置
３１        ＧＵＩ画面（パッケージ印刷登録用）
３１Ｃ      印刷サイズ表示欄
３１Ｄ      印刷枚数入力欄
【図１】
2005322053.tif 000003
【図２】
2005322053.tif 000004
【図３】
2005322053.tif 000005
【図４】
2005322053.tif 000006
【図５】
2005322053.tif 000007
【図６】
2005322053.tif 000008
【図７】
2005322053.tif 000009
【図８】
2005322053.tif 000010
【図９】
2005322053.tif 000011
【図１０】
2005322053.tif 000012
【図１１】
2005322053.tif 000013
【図１２】
2005322053.tif 000014
【図１３】
2005322053.tif 000015